(57)【特許請求の範囲】
【請求項１】
排気ガスターボチャージャーのタービンの第１タービン流路に割り当てられ、内燃機関の排気ガスによって貫流可能な第１排気流路（１４）と、少なくとも部分的に前記第１排気流路（１４）から流体工学的に分離され、前記内燃機関の排気ガスによって貫流可能で、前記タービンの第２タービン流路に割り当てられている第２排気流路（１６）と、前記第１排気流路（１４）から分岐している排気ガス再循環ライン（２２）とを有すると共に、少なくとも、前記第１排気流路（１４）から前記排気ガス再循環ライン（２２）への排気ガスの流れを妨げる第１閉鎖ポジション（１）と、少なくとも、前記第１排気流路（１４）から前記排気ガス再循環ライン（２２）への排気ガスの流れを可能にする第１開放ポジション（２）との間で調節可能な閉鎖エレメント（２６）を有する内燃機関のための排気セクション（１０）であって、
排気ガスの流れを前記第１排気流路（１４）から分岐可能で、前記第２排気流路（１６）に導くことが可能な、前記排気流路（１４、１６）の間の流体接続開口部（３０）が、前記閉鎖エレメント（２６）によって前記第１閉鎖ポジション（１）で開放され、また前記閉鎖エレメント（２６）によって前記第１開放ポジション（２）で閉鎖され、
前記第１排気流路（１４）が、前記第１閉鎖ポジション（１）において、前記閉鎖エレメント（２６）によって、少なくとも前記流体接続開口部（３０）より下流に向かって流体工学的に閉鎖され、
前記閉鎖エレメント（２６）が、第２閉鎖ポジション（４）に調節されることができ、前記第２閉鎖ポジションでは、前記第１排気流路（１４）から前記排気ガス再循環ライン（２２）への排気ガスの流れが妨げられ、前記２つの排気流路（１４、１６）の間の前記接続開口部（３０）と前記第１排気流路（１４）とが開放されることを特徴とする、内燃機関のための排気セクション。
【請求項２】
前記第１排気流路（１４）が、前記第１開放ポジション（２）において、前記閉鎖エレメント（２６）によって、少なくとも前記第１排気流路（１４）からの排気ガスが前記排気ガス再循環ライン（２２）へと分岐可能な分岐点（２４）より下流に向かって流体工学的に閉鎖されることを特徴とする、請求項１記載の排気セクション（１０）。
【請求項３】
前記閉鎖エレメント（２６）が、第２開放ポジション（３）に調節されることができ、前記第２開放ポジションでは、前記排気ガス再循環ライン（２２）、前記第１排気流路（１４）および前記接続開口部（３０）の各々が、流体工学的に開放されることを特徴とする、請求項１または請求項２に記載の排気セクション（１０）。
【請求項４】
前記第２排気流路（１６）が、前記第１排気流路（１４）より大きい、排気ガスが流れる横断面を有することを特徴とする、請求項１〜請求項３のいずれか１項に記載の排気セクション（１０）。
【請求項５】
前記排気流路（１４、１６）の夫々の横断面が同じ大きさであることを特徴とする、請求項１〜請求項３のいずれか１項に記載の排気セクション（１０）。
【発明の詳細な説明】
【技術分野】
【０００１】
本発明は、請求項１の前段に記載の、内燃機関のための排気セクションに関する。
【背景技術】
【０００２】
そのような内燃機関用の、特に自動車の内燃機関用の排気セクションは、特許文献１から公知である。
前記排気セクションは、第１排気流路と、少なくとも部分的に前記第１排気流路から流体工学的に分離された第２排気流路を含んでいる。前記２つの排気流路は、それぞれ前記内燃機関の排気ガスを流すことができる。さらに前記第１排気流路は、排気ガスターボチャージャーのタービンの第１タービン流路に割り当てられている。前記第２排気流路は、少なくとも部分的に前記タービンの前記第１タービン流路から流体工学的に分離されている第２タービン流路に割り当てられている。このことは、前記第１タービン流路には排気ガスが前記第１排気流路を通って導かれる、ないしは導かれることが可能である一方で、前記第２タービン流路には前記内燃機関の排気ガスが前記第２排気流路を通って導かれる、ないしは導かれることが可能であることを意味する。
【０００３】
前記排気セクションはさらに、前記第１排気流路から分岐する排気ガス再循環ラインを備えている。これは、前記排気ガス再循環ラインが、前記第１排気流路に設けられた分岐点において前記第１排気流路と流体工学的に結合しており、それにより前記分岐点において排気ガスが、前記第１排気流路から前記排気ガス再循環ラインへと分岐されることができるようになっていることを意味する。前記排気ガス再循環ラインは、前記内燃機関の低エミッション運転を実現するために、前記内燃機関の排気ガスの、前記内燃機関の吸気側への再循環に用いられる。
【０００４】
最後に、前記排気セクションは１つの閉鎖エレメントを備えている。前記閉鎖エレメントは、前記第１排気流路から前記排気ガス再循環ラインへの排気ガスの流れ込みを妨げる少なくとも１つの閉鎖ポジションと、前記第１排気流路から前記排気ガス再循環ラインの中への排気ガスの流れ込みを可能にする少なくとも１つの開放ポジションとの間で調整可能である。換言すると、前記排気ガス再循環ラインは、前記少なくとも１つの閉鎖ポジションでは流体工学的に閉鎖されており、このため前記排気ガス再循環ラインには排気ガスが流れない。前記開放ポジションにおいては、前記排気ガス再循環ラインは流体工学的に開放されており、このため前記排気ガス再循環ラインには排気ガスが流れる。
【０００５】
特許文献２からも、１つの内燃機関用の排気セクションが公知である。前記内燃機関の定義された数のシリンダからの排気ガスは、第１排気流路を通って流れる。前記内燃機関の残りのシリンダの排気ガスは、第２排気流路を通って流れる。前記第１排気流路と前記第２排気流路との間には、１つのバイパスラインが設けられている。前記バイパスラインを通じて、前記２つの排気流路は流体工学的に相互接続可能である。前記バイパスラインには、第１閉鎖エレメントが配置されており、前記第１閉鎖エレメントを用いて、前記バイパスラインは流体工学的に開放可能かつ閉鎖可能である。さらに前記排気セクションは１つの排気ガス再循環ラインを有し、前記排気ガス再循環ラインは、前記第１排気流路から分岐しており、かつ第２閉鎖エレメントを有している。前記第２閉鎖エレメントを用いて、前記排気ガス再循環ラインは流体工学的に開放可能かつ閉鎖可能である。最後に、前記第１排気流路は、前記排気ガス再循環ラインの下流に第３閉鎖エレメントを有している。前記第３閉鎖エレメントを用いて、前記第１排気流路は流体工学的に開放可能かつ閉鎖可能である。この排気セクションは、比較的高い複雑性を有する。さらに、従来の排気セクションでは、内燃機関の高いエンジンブレーキ制動力を実現できるようにすることは困難であり、かつ特に費用と手間がかかることがわかっている。
【先行技術文献】
【特許文献】
【０００６】
【特許文献１】独国特許出願公開第１０ ２００８ ０６４ ２６４号明細書
【特許文献２】独国特許出願公開第１０ ２００５ ０２１ １７２号明細書
【発明の概要】
【発明が解決しようとする課題】
【０００７】
このため本発明の課題は、前記排気セクションを用いて高いエンジンブレーキ制動力を特に簡単な方法で実現させるように、冒頭にあげた様態の排気セクションを発展させることである。
【課題を解決するための手段】
【０００８】
この課題は、請求項１の特徴を有する排気セクションによって解決される。本発明の、便利で非自明な発展に伴う有利な形態は、その他の請求項にあげられている。
【０００９】
請求項１の前段で述べた様態の排気セクションを造り出し、前記排気セクションを用いて内燃機関の特に高いエンジンブレーキ制動力を特に複雑でなく、したがって単純な方法で実現させるために、本発明では、前記２つの排気流路の間の１つの接続開口部が、前記閉鎖エレメントの第１閉鎖ポジションにおいては開放されており、また前記閉鎖エレメントの第２開放ポジションにおいては、前記閉鎖エレメントによって閉鎖されていることが企図されている。ここで、前記接続開口部を通じて、前記第１排気流路からの排気ガスは分岐可能であり、前記第２排気流路に導かれることが可能である。換言すれば、前記閉鎖エレメントは、前記排気ガス再循環ラインにも、また前記接続開口部にも帰属させられており、前記排気ガス再循環ラインと前記接続開口部とに共通の前記閉鎖エレメントによって、前記閉鎖エレメントの前記閉鎖ポジションにおいては前記排気ガス再循環ラインが流体工学的に閉鎖されており、前記閉鎖エレメントの前記開放ポジションにおいては前記接続開口部が流体工学的に閉鎖されている。有利には、前記内燃機関のエンジンブレーキ稼働時には、前記第１排気流路からの排気ガスが前記第２排気流路へと流れ込み、これにより前記第２排気流路と、それに伴い前記第２タービン流路とが、増加した排気ガス流の流れ込みを受け、それにより、より高いエンジンブレーキ制動力が達成可能である。
【００１０】
前記閉鎖エレメントは、例えば弁体として、特にフラップとして形成され、その際、例えば前記フラップは、旋回軸を中心として前記閉鎖ポジションと前記開放ポジションとの間を旋回できるようになっている。１つの前記閉鎖エレメントを前記排気ガス再循環ラインの流体工学的閉鎖にも前記接続開口部の流体工学的閉鎖にも使用することによって、前記排気セクションの部品の数と重量と費用とを、特に低く抑えることができる。さらに、前記排気セクションの非常に高い機能実現確実性を保証することができる。
【００１１】
本発明の特に有利な実施形態では、前記第１排気流路が、前記第１閉鎖ポジションにおける前記閉鎖エレメントによって、少なくとも前記接続開口部より下流に向かっては、流体工学的に閉鎖されている。このことは、排気ガスが、前記第１排気流路を通って前記接続開口部まで流れることができるが、それより先へ前記第１排気流路を通って流れ続けることができないことを意味する。前記排気ガス再循環ラインも前記少なくとも１つの閉鎖ポジションにおける前記閉鎖エレメントによって閉鎖されているため、排気ガスは、前記排気ガス再循環ラインを通って流れることもできない。これにより排気ガスは、前記接続開口部の領域において、前記接続開口部を通って、前記第１排気流路から前記第２排気流路へと流れ込み、こうして全排気ガスが前記接続開口部の下流では前記第２排気流路を通って流れ、それにより前記第２タービン流路へと導かれる一方、前記第１タービン流路には排気ガスが導かれない。これにより、内燃機関のエンジンブレーキ稼働時に、特に高いエンジンブレーキ制動力が実現される。しかも、この高いエンジンブレーキ制動力は、追加的な閉鎖エレメントを使用することなく起こり得る。
【００１２】
さらに前記排気セクションは、前記２つのタービン流路どうし、および／または前記２つの排気流路どうしの非対称性を軽度に抑えること、また場合によってはむしろ前記２つのタービン流路どうし、および／または前記２つの排気流路どうしを相互に対称的に構成すること、そしてそれにもかかわらず非常に高いエンジンブレーキ制動力を実現できることを可能にする。
【００１３】
本発明の別の実施形態では、前記第１排気流路が、第１開放ポジションの状態にある前記閉鎖エレメントによって、前記第１排気流路からの排気ガスが前記排気ガス再循環ラインへと分岐可能となる分岐点より少なくとも下流に向かっては、流体工学的に閉鎖されている。有利には、前記第１開放ポジションでは、前記接続開口部も流体工学的に閉鎖されており、このため、前記内燃機関の吸気側への排気ガスの特に高い排気ガス再循環率または可能な限り最大の排気ガス再循環率が達成され、それにより前記内燃機関の実動作において、特に窒素酸化物の排出量を大幅に低減することができる。
【００１４】
本発明のさらなる実施形態では、前記閉鎖エレメントが第２開放ポジションに調節可能であり、前記第２開放ポジションでは、前記排気ガス再循環ラインも前記第１排気流路も、また前記接続開口部も、流体工学的に開放されている。有利には、前記内燃機関の実動作または前記内燃機関の主要運転領域において、前記第２開放ポジションを用いて、排気ガス再循環率と、タービンへの強い流れ込みとを調節することができ、したがって最小限の排気ガス再循環率も設定することができて、それにより特に効率的な内燃機関運転が低い排気ガス排出で可能にされる。
【００１５】
本発明のさらなる実施形態では、前記閉鎖エレメントが第２閉鎖ポジションへと調節可能であり、前記第２閉鎖ポジションでは、前記第１排気流路から前記排気ガス再循環ラインへの排気ガスの流れ込みが妨げられて、前記２つの排気流路の間の前記接続開口部が開放されている。有利には、この場合、前記２つの排気流路内にある内燃機関全体の排気ガスのすべてが前記ターボチャージャーの前記タービンへと流れ込み、これにより内燃機関の吸気側で前記ターボチャージャーの圧縮機による燃焼用空気のより高い圧縮が達成され、これにより特に内燃機関への負荷要求の際または急激な負荷上昇の際に、増加したトルクが非常に迅速に利用できる。
【００１６】
本発明のさらなる実施形態では、前記第２排気流路が、前記第１排気流路よりも大きな、排気ガスが流れる横断面積を有している。有利には、より小さな横断面積により、前記第１排気流路内の排気圧力は高められており、このため過給比率が高い場合でも、排気ガスを再循環することができ、これにより特に効率的なエミッション削減、特に窒素酸化物の排出量削減を達成することができる。
【００１７】
本発明の別の実施形態では、前記２つの排気流路の横断面積が同じ大きさに形成されている。有利には、本発明による前記排気流路により、前記閉鎖エレメントを用いて前記第１排気流路の横断面積の縮小が調節可能であり、このため前記第１排気流路内と前記排気ガス再循環ライン内の圧力上昇が可能であり、これにより、吸気側に対応して圧力が低下し、排気ガス再循環が可能になる。
【００１８】
本発明のこのほかの利点と特徴と詳細は、以下に続く好ましい実施形態の説明から、そして図面によって、明らかである。上述の特徴と特徴の組み合わせ、ならびに以下の図の説明および／または単一の図に示される特徴と特徴の組み合わせは、各々の指定された組み合わせのみならず、他の組み合わせにおいても、または単独でも、本発明の範囲を逸脱することなく、利用可能である。
【図面の簡単な説明】
【００１９】
【図１】特に自動車の内燃機関用の、排気セクション１０の概略断面図である。
【発明を実施するための形態】
【００２０】
図面は、単一の図の中で、内燃機関用の、特に自動車の内燃機関用の、排気セクション１０の概略断面図を詳細に示しており、前記排気セクション１０は、少なくとも部分的に流体工学的に相互に分離している２つの排気流路１４、１６と、前記２つの排気流路のうち１つの前記排気流路１４から分岐している排気ガス再循環ライン２２と、閉鎖エレメント２６とを備え、前記閉鎖エレメント２６を用いて、前記２つの排気流路１４、１６の間の接続開口部３０と、前記排気ガス再循環ライン２２と、前記２つの排気流路１４、１６のうちの１つとの各々が、流体工学的に閉鎖および開放可能である。
【００２１】
図は、図示しない内燃機関用の排気セクション１０の概略断面図を示す。ここで前記内燃機関は往復動内燃機関として形成され、複数のシリンダを備えている。前記内燃機関はさらに、燃焼用空気を前記シリンダに導くための吸気側と、前記シリンダからの排気ガスを排出するための排気側とを備えている。前記排気セクション１０を用いて、前記排気側からの排気ガスは、排気ガスターボチャージャーのタービンへと、および／または排気ガス再循環システムへと、導かれることができる。排気ガス再循環システムによって、排気ガスは前記吸気側へ流れ込むことができる。前記排気ガスターボチャージャーの圧縮機が、前記吸気側において燃焼用空気を圧縮する。
【００２２】
前記排気セクション１０は、第１排気流路１４と第２排気流路１６とをもつ排気配管１２を含んでいる。図中、矢印１８によって示すように、前記２つの排気流路１４、１６は、前記内燃機関の排気ガスが流れることができる。前記排気流路１４、１６は、前記排気配管１２の少なくとも１つの隔壁２０によって、流体工学的に相互に分離されている。前記排気流路１４、１６を前記排気側と適切に流体工学的に連結することによって、前記第１排気流路１４には第１の定義された数の前記シリンダと、それに伴いこれらのシリンダからの排気ガスとが割り当てられ、他方、前記第２排気流路１６には、第２の残りの数の前記シリンダと、それに伴いこれらのシリンダからの排気ガスとが割り当てられることができる。
【００２３】
前記排気セクション１０は、排気ガス再循環システムの前記排気ガス再循環ライン２２を含んでおり、前記排気ガス再循環ライン２２は、前記第１排気流路１４の分岐点２４において前記第１排気流路１４から分岐して、前記吸気側に合流する。前記排気ガス再循環ライン２２によって、前記第１排気流路１４を流れる排気ガスは前記分岐点２４で分岐可能であり、こうして前記第１排気流路１４を流れる排気ガスは、前記排気ガス再循環ライン２２へと流出する。前記排気ガス再循環ライン２２は、前記排気セクション１０からの排気ガスを前記内燃機関の前記給気側へと戻すために役立ち、戻された排気ガスは、前記吸気側を通って、少なくとも一部の前記シリンダに再び導かれる。これにより前記内燃機関の排出量、特に窒素酸化物の排出量を低く抑えることができ、例えば法定排出基準を満たすことができる。
【００２４】
前記排気配管１２を通る排気ガスの流れ方向１８において、前記分岐点２４の下流には、図示しない排気ガスターボチャージャーのタービンが少なくとも配置されている。前記タービンは、タービンハウジングを含んでおり、前記タービンハウジングの中に１つのタービンホイールが、１つの回転軸を中心にしてタービンハウジングに対して相対的に回転可能に収容されている。前記タービンハウジングは、少なくとも部分的には流体工学的に相互に分離されている２つのタービン流路を包含しており、前記２つのタービン流路を通って前記タービンホイールに排気ガスが導かれるようになっている。こうして排気ガスは前記タービンホイール上を流れることができ、それによって前記タービンホイールを駆動することができる。
【００２５】
前記２つのタービン流路は、例えばどちらもスパイラルチャネルとして形成されており、前記スパイラルチャネルは、前記タービンホイールの円周方向に、前記タービンホイールの円周を超えて、少なくともおおむね渦巻形に延びている。前記２つのタービン流路は、その横断面に関して相互に非対称または対称に形成されている。
【００２６】
ここで、前記第１排気流路１４は、前記２つのタービン流路のうち第１のタービン流路に割り当てられている。このことは、前記排気流路１４が前記第１タービン流路と流体工学的に連結されていることを意味する。したがって前記分岐点２４の下流で前記第１排気流路１４を流れる排気ガスは、これにより、前記第１タービン流路へと導かれることができる。
【００２７】
前記第２排気流路１６は、前記第２タービン流路に割り当てられている。このことは、前記第２排気流路１６が前記第２タービン流路と流体工学的に連結されており、それにより前記第２排気流路１６を流れる排気ガスは前記第２タービン流路へと流入できることを意味する。
【００２８】
前記排気セクション１０は、１つのフラップ２６として存在している前記閉鎖エレメントをさらに含み、前記フラップ２６は前記ポジション１、２、３、４の間で、１つの旋回軸２８を中心として、前記排気配管１２に対して相対的に、旋回可能である。ここでは、前記ポジション２、３、４が点線によって示されているのに対し、前記第１ポジション１は、実線によって示されている。前記フラップ２６の旋回は、図中に矢印２９で示されている。
【００２９】
前記ポジション１は、前記フラップ２６の第１閉鎖ポジションであり、ここにおいて、前記第１排気流路１４から前記排気ガス再循環ライン２２への排気ガスの流れが、前記フラップ２６によって妨げられている。前記排気ガス再循環ライン２２は、前記第１閉鎖ポジション１で流体工学的に閉鎖され、このため、前記排気ガス再循環ライン２２は排気ガスが流れることができない。さらに、前記第１閉鎖ポジション１で、前記排気流路１４、１６間の接続開口部３０が開放されている。前記隔壁２０の通過開口部３８として形成された前記接続開口部３０を通り、−流体工学的に開放されている場合−、前記第１排気流路１４と前記第２排気流路１６との間での排気ガスの交換は可能である。前記通過開口部３８は前記隔壁２０の壁面４０によって区切られている。
【００３０】
その上さらに、前記第１排気流路１４は、前記第１閉鎖ポジション１における前記フラップ２６によって、前記接続開口部３０より下流に向かって流体工学的に閉鎖されている。これは、前記第１排気流路１４は、前記接続開口部３０より下流に向かって、もはや排気ガスを流さないことを意味する。したがって、前記接続開口部３０の上流の前記第１排気流路１４を流れる排気ガスは、第１閉鎖ポジション１で開放された前記接続開口部３０を通り、前記第２排気流路１６の中へ流れ、このため、全シリンダからの全部の排気ガスが、前記第１排気流路１６を接続開口部３０より下流に向かって流れる。前記第１排気流路１４から前記第２排気流路１６への、このような排気ガスの流れの移行は、図中矢印３２によって示されている。前記フラップ２６の前記第１閉鎖ポジション１で、前記排気ガス再循環２２と前記第１排気流路１４とは閉鎖され、そして第１排気流路１４から第２排気流路１６への接続開口部３０が開放されているので、前記排気ガスターボチャージャーによって前記内燃機関に強い過給が生じるが、これは高いエンジンブレーキ制動力によってもたらされる。エンジンブレーキ稼働においては、燃料は前記シリンダに噴出されず、これにより前記内燃機関はターボエンジンとして稼働させられる。通常、エンジンブレーキ稼働において稼働させられる内燃機関は、エンジンブレーキ制動力を上げるためのそれ自体既知の装備を有している。その際、たとえば、それ自体既知の減圧ブレーキが重要になることがある。前記全シリンダからの排気ガスを前記第２排気流路１６に合流させることによって、タービンへの最善の流入により、前記内燃機関の特に効果的な過給がエンジンブレーキ稼働において達成されることができる。
【００３１】
前記１つのフラップ２６が、前記接続開口部３０より下流に向かって、前記第１排気流路１４の流体工学的な閉鎖および前記排気ガス再循環ライン２２の流体工学的な閉鎖のために使用されるので、付加的に、前記排気セクション１０の部品の数を特に少なく抑えることができる。このため、前記フラップ２６は、その第１閉鎖ポジションにおいて、第１部分域３４を前記第１排気流路１４の中へ、そして第１排気流路１に接続している第２部分域３６を前記排気ガス再循環ライン２２の中へ突き出している。その際、前記第１部分域３４は、前記接続開口部３０より下流に向かって流体工学的な閉鎖のために用いられる一方、前記第２部分域３６は、前記排気ガス再循環ライン２２の流体工学的閉鎖のために使用される。前記フラップ２６の両方の部分域３４、３６は、それぞれ旋回軸２８を中心に旋回する。
【００３２】
前記ポジション２は、前記閉鎖エレメントまたはフラップ２６の第１開放ポジションであり、前記第１開放ポジションでは前記排気ガス再循環ライン２２が流体工学的に開放されている。前記第１開放ポジション２において、前記接続開口部３０が流体工学的に閉鎖され、それにより、前記接続開口部３０を排気ガスが流れることはできない。さらに、前記第２開放ポジションでは、前記第１排気流路１４も前記分岐点２４より下流に向かって流体工学的に閉鎖され、それにより、前記第排気流路１４を排気ガスが流れることはできない。これは、前記分岐点２４の上流に前記第１排気流路１４を流れる全ての排気ガスが、前記第１排気流路１４から分岐され、そして前記排気ガス再循環ライン２２へ導かれることを意味する。これによって、最大に調節することが可能な排気ガス再循環率（ＥＧＲ率）が調節されている。
【００３３】
前記ポジション３は、第２開放ポジションまたは前記フラップ２６の中間ポジションであって、前記フラップ２６は内燃機関の主要運転領域の中で調節される。前記第２開放ポジション３において、前記排気ガス再循環ライン２２および前記第１排気流路１４とともに、前記接続開口部３０が開放され、それにより、排気ガスが流れることができる。前記第２開放ポジション３の中間位置を変えることによって、排気ガスが前記内燃機関に対応して、前記排気ガス再循環ライン２２および前記第１排気流路１４の中へ、そして前記接続開口部３０を通って配分されることができる。
【００３４】
前記フラップ２６の前記ポジション４は、第２閉鎖ポジションであって、前記ポジション４で前記排気ガス再循環ライン２２が流体工学的に閉鎖され、また前記接続開口部３０が開放されている。前記第２閉鎖ポジション４において、前記第１排気流路１４も開放されている。これは、第２閉鎖ポジションにおいて両方の前記排気流路１４、１６を、それぞれ排気ガスが流れることができることを意味する。これによって、例えば、前記内燃機関の実動作における急激な負荷上昇の改善が示され、その間、相応の負荷要求の際、全ての排気ガスがもっぱら両方の前記排気流路１４、１６を通って排気ガスターボチャージャーのタービンに作用することができ、これにより、排気ガスターボチャージャーの圧縮機によって、相応に高められた積載圧を実現させることができ、このことによって前記内燃機関は、相応に迅速に、より高いトルクを提供することができる。
【００３５】
図から分かるように、両方の前記排気流路１４、１６は非対称に形成されている。その際、前記第１排気流路１４の方が、前記第２排気流路１６よりも、排気ガスが貫流可能な流路断面積が小さい。前記排気ガス再循環ライン２２が前記第１排気流路１４から分岐しているので、前記第１排気流路１４は排気ガス再循環流路としても示される。こうして前記第１排気流路１４は、特に排気ガス再循環のための高圧の排気ガスを提供することに役立つ。前記第１排気流路１４の横断面は、特に吸気側の圧力を上回った排気ガスの圧力に合わせて設計されている。前記内燃機関の吸気側における燃焼用空気の圧力は、前記排気ガスターボチャージャーの圧縮機によって高められ、そして排気ガス再循環のため、前記第１排気流路１４から前記排気ガス再循環ライン２２の中へ流入する排気ガスの圧力より上回らなければならない。
【００３６】
本発明の前記排気セクション１０によって、両方の前記排気流路１４、１６を、それぞれの横断面に関し、対称的に製作することも考えられる。特に、前記第２開放ポジション３の対応する変化によって、前記第１排気流路１４の横断面積は、前記第１排気流路１４内および特に前記排気ガス再循環ライン２２内の排気ガスの圧力が吸気側の圧力を上回る場合にのみ縮小される。有利なことに、前記第１排気流路１４の、対称的に作られたより大きな横断面積によって、前記第１排気流路１４内の排気ガスの圧力が低下し、このため、内燃機関が前記第１排気流路１４に割り当てられたシリンダによって、シリンダから排気側に排気ガスを押し出すために、必要な出力はより少なく、これによって内燃機関の効率が上昇し、同時に燃費と排気ガス排出量は低下する。
【００３７】
図から分かるように、前記フラップ２６は前記排気ガス再循環ライン２２だけではなく前記第１排気流路１４や前記接続開口部３０にも割り当てられており、前記フラップ２６の流体工学的な閉鎖と開放に役立っている。したがって前記排気セクション１０の部品点数および複雑性が、特に低く抑えられることができる。
【００３８】
前記フラップ２６は非常に大きい調節範囲を有しているので、前記エンジンブレーキ制動力および前記排気ガス再循環が非常に良好に制御され、そして特に調整される。
【００３９】
高いエンジンブレーキ制動力を有する内燃機関によって低エミッション稼働の実現のため、それぞれ前記排気流路１４、１６に同数のシリンダを割り当てることが可能である。もちろん、シリンダが不均等に前記排気流路１４、１６に配備されることも考えられうる。
【００４０】
前記排気セクション１０において流れ損失を特に少なく抑えるため、有利には、前記フラップ２６が、主要運転領域において、前記排気配管１２または前記第１排気流路１４を通る排気ガスの流れの方向に、少なくとも実質的に平行に延びることが、企図されることができる。
【図１】
0005963980.tif 000002